(57)【要約】      （修正有）【課題】植物に少しずつ水やりするための給水チューブに取付けられる点滴灌漑エミッタを提供する。【解決手段】点滴灌漑エミッタは外側部材１０及び緩流部材２０を具える。外側部材１０は導孔１６、入口及び出口１８を具える。緩流部材２０は外側部材１０の導孔１６に取外し可能に取付けられる。緩流部材２０は本体２１、通路２３、突き刺し部２５、及び複数の切欠き２４を具える。通路２３は本体２１の周りにらせん状に形成され或る断面積を有する。突き刺し部２５は本体２１に取付けられ、入口から突出している。切欠き２４は、本体２１の第１端面と突き刺し部２５の間で、本体２１の周りに形成され、通路２３と連通する。切欠き２４の１つ１つは通路２３よりも小さな断面積を有し、通路２３が不純物によって塞がれることを防ぐ。突き刺し部２５は植物との正確な位置合わせのために給水チューブ３０に直接突き刺すことができる。【選択図】図４
0003202734.tif 000002
【実用新案登録請求の範囲】
【請求項１】
外側部材及び緩流部材を具える点滴灌漑エミッタであって、
前記外側部材がベース、第１ヘッド、第２ヘッド、導孔、入口、出口を具え、
前記ベースは該ベース上に画定される第１面、及び前記ベース上に画定され前記ベース上の第１面の反対側に位置する第２面を有し、前記第１ヘッドは前記ベースの第１面上に形成されそこから突出し、外側面、末端部、前記第１ヘッドの外側面の周りに形成され前記ベースの第１面に接続される円錐面、及び前記第１ヘッドの外側面の周りに間隔を置いて形成される複数の係合凸部を有し、前記第２ヘッドは前記ベースの第２面上に形成されそこから突出し、末端部を有し、前記導孔は前記ベース、第１ヘッド及び第２ヘッドを貫通して形成され、前記入口は前記第１ヘッドの末端部に形成され前記導孔と連通し、前記出口は前記第２ヘッドの末端部に形成され前記導孔と連通し、
前記緩流部材が本体、ねじ部、通路、突き刺し部、及び複数の切欠きを具え、
前記本体は前記外側部材の入口と隣合う前記本体に形成される第１端面を有し、前記ねじ部は前記本体の２つの端面の間で前記本体の周りにらせん状に形成され、前記通路は前記本体の２つの端面の間で前記ねじ部によって本体の周りにらせん状に形成され或る断面積を有し、前記突き刺し部は前記本体の第１端面に取付けられ、前記外側部材の入口から突出し、前記複数の切欠きは前記本体の第１端面と突き刺し部の間で前記本体の周りに形成され、前記通路と連通し、前記切欠きの１つ１つが前記通路の断面積よりも小さな断面積を有することを特徴とする、
点滴灌漑エミッタ。
【請求項２】
前記外側部材が凸型リングを具え、該凸型リングが前記第２ヘッドの出口の周りに環状に形成される、請求項１の点滴灌漑エミッタ。
【請求項３】
前記外側部材が前記ベースに隣合う前記外側部材の中に環状に形成される保持面を有し、該保持面により前記ベースと前記第１ヘッドの間に段差面が形成され、
前記緩流部材の本体が前記本体の第１端面の反対側にある第２端面を有し、該第２端面が前記外側部材の保持面に当接する、請求項１又は２の点滴灌漑エミッタ。
【請求項４】
前記突き刺し部がプラスチックから成り、前記本体と一体である、請求項１乃至３の点滴灌漑エミッタ。
【請求項５】
前記突き刺し部が金属から成り、前記本体がラッピング射出成形法によって前記突き刺し部に接続される、請求項１乃至３の点滴灌漑エミッタ。
【考案の詳細な説明】
【技術分野】
【０００１】
本考案は、点滴灌漑エミッタ(drip irrigation emitter)、特に、植物に少しずつ水やりするための給水チューブに取付けられる点滴灌漑エミッタに関する。
【背景技術】
【０００２】
点滴灌漑のコンセプトは数年前に開発され、現在では、点滴灌漑は灌漑の中で最も普及している方法の一つである。点滴灌漑は給水チューブ、及び複数の点滴灌漑エミッタを使用する。給水チューブは、中空体、及び複数の貫通孔を具える。貫通孔は、間隔を置いて中空体の外側面を貫通して形成される。点滴灌漑エミッタを貫通孔に刺して、給水チューブの中空体に取付ける。
【０００３】
使用の際には植物は間隔を置いて植えられる。給水チューブは植物の近くに置かれる。給水チューブに取付けられた点滴灌漑エミッタはそれぞれ植物に近接する。給水チューブの水は点滴灌漑エミッタから流れ出て、植物に水を注ぐ。
【０００４】
使用者は植付け線に沿って植物を植え、植付け線の前部分と後ろ部分では、隣合う２つの植物の間隔は等しくない。この間隔の不正確さは使用者によってもたらされる。しかしながら、中空体に形成された貫通孔の間隔は同じであり、それ故、点滴灌漑エミッタの間隔も同じで、点滴灌漑エミッタの１つ１つの位置は固定されている。従って、点滴灌漑エミッタの位置を動かすことができず、植物と正確な位置合わせができない。灌漑の効率は従来の点滴灌漑より悪い。
【０００５】
前記短所を克服するために、本考案は前記問題を軽減し取除く点滴灌漑エミッタを提供する。
【考案の概要】
【０００６】
本考案の主な目的は、灌漑の効率を改善するために、位置を任意に定め、植物と正確な位置合わせができる、給水チューブに直接突き刺す点滴灌漑エミッタを提供することである。
【０００７】
点滴灌漑エミッタは外側部材、及び緩流部材を具える。外側部材は、ベース、第１ヘッド、第２ヘッド、導孔、入口、及び出口を具える。ベースは、第１面と第２面を具える。第１面はベース上に画定される。第２面もベース上に画定され、ベースの第１面の反対側に位置する。第１ヘッドはベース上の第１面上に形成され、そこから突出している。第１ヘッドは外側面、末端部、円錐面、及び複数の係合凸部を具える。円錐面は第１ヘッドの外側面上に形成され、ベースの第１面に接続される。係合凸部は第１ヘッドの外側面上に間隔を置いて形成される。第２ヘッドはベースの第２面上に形成され、そこから突出しており、末端部を具える。導孔はベース、第１ヘッド及び第２ヘッドを貫通して形成される。入口は第１ヘッドの末端部に形成され、導孔と連通する。出口は第２ヘッドの末端部に形成され、導孔と連通する。緩流部材は入口と外側部材の第１ヘッドを通って、導孔内に取外し可能に取付けられる。緩流部材は本体、ねじ部、通路、突き刺し部、及び複数の切欠きを具える。本体は、外側部材の入口と隣合う本体に形成される第１端面を有する。ねじ部は本体の２つ端面の間で、本体の周りにらせん状に形成される。通路は本体の２つの端面の間で、ねじ部によって本体の周りにらせん状に形成され或る断面積(caliber)を有する。突き刺し部は本体の第１端面に形成され、外側部材の入口から突出している。切欠きは本体の第１端面と突き刺し部の間で、本体の周りに形成され、通路と連通している。切欠きの１つ１つは通路の断面積よりも小さな断面積を有する。
【０００８】
給水チューブの外側面に貫通孔が形成されていない給水チューブの中空体には、使用者が必要に応じて点滴灌漑エミッタの突き刺し部によって直接穴をあけることができる。給水チューブに取付けられる点滴灌漑エミッタの位置は植物に対して正確に、任意に定めることができ、灌漑の効率を改善する。さらに給水チューブの水は切欠き及び通路を通って導孔内を流れ、導孔を通って外側部材の出口から流れ出て、対応する植物に水を注ぐ。切欠き１つ１つの断面積は通路の断面積よりも小さい。切欠きによって点滴灌漑エミッタの中に給水チューブ内の不純物が流入するのを防ぐことができる。切欠きは通路が不純物によって塞がれることを防ぐ。
【０００９】
さらに、通路はらせん状で、これにより、点滴灌漑エミッタを流れる水の流動距離が長くなる。点滴灌漑エミッタの水の流れは遅く、節水につながる。点滴灌漑エミッタにより水資源は上手く利用される。緩流部材は外側部材に取外し可能に取付けられる。緩流部材は掃除及び再利用のため外側部材から取外すことができる。
【図面の簡単な説明】
【００１０】
【図１】本考案の点滴灌漑エミッタの第1実施例の分解斜視図。
【図２】図１の点滴灌漑エミッタの部分的断面側面図。
【図３】図２の点滴灌漑エミッタの３-３線部分的断面側面図。
【図４】給水チューブに突き刺して取付けられた、図１の点滴灌漑エミッタの作動状態の部分的断面側面図。
【図５】給水チューブに取付けられ、植物に水を注ぐ、図１の点滴灌漑エミッタの作動状態の側面図。
【図６】給水チューブに取付けられ、パイプに接続された、図１の点滴灌漑エミッタの他の作動状態の部分的断面側面図。
【図７】図１の点滴灌漑エミッタの緩流部材の第１実施例の側面図。
【図８】図１の点滴灌漑エミッタの緩流部材の第２実施例の側面図。
【図９】本考案の点滴灌漑エミッタの第２実施例の部分的断面側面図。
【考案を実施するための形態】
【００１１】
図１乃至３を参照して、本考案の点滴灌漑エミッタの第１実施例は、外側部材１０及び緩流部材２０を具える。
【００１２】
外側部材１０はベース１１、第１ヘッド１２、第２ヘッド１３、導孔１６、入口１７、出口１８、及び凸型リング１５を具える。ベース１１は第１面及び第２面を有する。ベース１１の第２面はベース１１の第１面の反対側である。第１ヘッド１２はベース１１の第１面上に形成され、そこから突出している。第１ヘッド１２は外側面、末端部、円錐面１９、及び複数の係合凸部１４を具える。円錐面１９は第１ヘッド１２の外側面の周りに形成され、ベース１１の第１面に接続される。係合凸部１４は円錐面１９と第１ヘッド１２の末端部の間で間隔を置いて第１ヘッド１２の外側面の周りに形成される。第２ヘッド１３はベース１１の第２面上に形成され、そこから突出しており、末端部を有する。
【００１３】
導孔１６はベース１１、第１ヘッド１２、及び第２ヘッド１３を貫通して形成される。入口１７は第１ヘッド１２の末端部に形成され、導孔１６と連通する。出口１８は第２ヘッド１３の末端部に形成され、導孔１６と連通する。凸型リング１５は第２ヘッド１３の出口１８の周りに環状に形成される。図９を参照して、本考案の第２実施例では、外側部材１０がさらに保持面１１１を具える。保持面１１１はベース１１に隣合う外側部材１０の中に環状に形成され、これにより、ベース１１と第１ヘッド１２の間に段差面が形成される。
【００１４】
図２及び９を参照して、緩流部材２０は入口１７及び外側部材１０の第１ヘッド１２を通って導孔１６の中に取外し可能に取付けられる。第２実施例では、緩流部材２０の内側と保持面１１１には構造的な関係がある。緩流部材２０は本体２１、ねじ部２２、通路２３、突き刺し部２５、及び複数の切欠き２４を具える。本体２１は第１端面及び第２端面を具える。本体２１の第１端面は外側部材１０の入口１７と隣合う本体２１上に形成される。本体２１の第２端面は本体２１の第１端面の反対側の本体２１上に形成される。本考案の第２実施例では、本体２１の第２端面が外側部材１０の保持面１１１に当接し、本体２１の位置が定められる。
【００１５】
ねじ部２２は本体２１の２つの端面の間で、本体２１の周りにらせん状に形成される。通路２３は本体２１の２つの端面の間で、ねじ部２２によって本体２１の周りにらせん状に形成され或る断面積を有する。突き刺し部２５は本体２１の第１端面に取付けられ、外側部材１０の入口１７から突出する。図７を参照して、突き刺し部２５はプラスチックで作られていてもよく、本体２１と一体である。図８を参照して、突き刺し部２５は金属で作られてもよく、本体２１は、ラッピング射出成形法によって突き刺し部２５に接続される。図２及び３を参照して、切欠き２４は第１端面と突き刺し部２５の間で、本体２１の周りに形成され、通路２３と連通する。切欠き２４の１つ１つは、通路２３の断面積よりも小さな断面積である。
【００１６】
図４を参照して、給水チューブ３０の外側面に貫通孔を設けることなく、給水チューブ３０に点滴灌漑エミッタの突き刺し部２５を突き刺すと、点滴灌漑エミッタは、使用者の必要に応じて、直接的且つ迅速に給水チューブ３０に取付けられる。外側部材１０の第１ヘッド１２は、給水チューブ３０に突き刺さっている突き刺し部２５によって、給水チューブ３０に刺される。外側部材１０のベース１１の第１面は給水チューブ３０の外側面に当接する。さらに、円錐面１９は給水チューブ３０の外側面で給水チューブ３０を押圧する。外側部材１０は、係合凸部１４により、給水チューブ３０から滑り落ちることはない。
【００１７】
給水チューブ３０の中の水は緩流部材２０の切欠き２４及び通路２３を通って導孔１６内を流れ、それから、導孔１６を通って外側部材１０の出口１８から流れ出る。
【００１８】
図５を参照して、給水チューブ３０は植物４０上に置かれる。複数の点滴灌漑エミッタは給水チューブ３０に直接刺され、取付けられる。各植物４０に水を注ぐために、使用者によって正確に、点滴灌漑エミッタの位置が任意に定められる。
【００１９】
図６を参照して、給水チューブ３０は植物４０の傍らに置かれる。給水チューブ３０が植物４０の１つと距離がある場合には、パイプ５０が凸型リング１５によって外側部材１０の第２ヘッド１３の周りにしっかりと取付けられてもよい。パイプ５０の末端部は対応する植物４０の近くに置かれる。水は点滴灌漑エミッタから流れ出て、さらにパイプ５０を通って流れ、それから対応する植物４０に水を注ぐためにパイプ５０の末端部から流れ出る。
【００２０】
また、点滴灌漑エミッタは鉢植えの植物に水を注ぐためにプラスチックボトルに取付けられてもよい。
【００２１】
仮に通路２３が水中の水垢によって詰まっても、外側部材１０の第２ヘッド１３を引っ張ることによって、点滴灌漑エミッタを給水チューブ３０から取外すことができ、その後、出口１８から外側部材１０に工具が挿入される。緩流部材２０は通路２３に留まる水垢を掃除するために工具によって外側部材から押し出される。緩流部材２０は、外側部材１０から取外して緩流部材２０の通路２３を掃除するには都合がよい。緩流部材２０は掃除した後、外側部材１０に再び取付けられてもよい。
【００２２】
外側部材１０に緩流部材２０を取付けるために、外側部材１０の導孔１６は円錐形でもよく、この場合、入口１７の内径は出口１８の内径より大きい。又は緩流部材２０が本体２１の第１端面の周りに形成される間隔リングを具えてもよい。間隔リングの外径は入口１７の内径よりも大きく、間隔リングが緩流部材２０の配置を定めてもよい。図９を参照して、緩流部材２０の第２端面が外側部材１０の保持面１１１に当接する。水が緩流部材２０を通って流れると、緩流部材２０の位置が定まり、保持面１１１と緩流部材２０の第２端面の係合により、緩流部材２０が外側部材１０の出口１８から抜け落ちることはない。
【００２３】
従って、点滴灌漑エミッタの突き刺し部２５を給水チューブ３０に直接刺すことができる。給水チューブ３０に取付けられる点滴灌漑エミッタの位置は、植物４０の位置に応じて、使用者によって正確に容易に任意に定めることができる。点滴灌漑エミッタの灌漑効率は改善され得る。切欠き２４の１つ１つの断面積が通路２３の断面積よりも小さい。それ故、不純物によって通路２３が塞がれることを切欠き２４が防ぎ得る。
【００２４】
さらに、通路２３はらせん状であり、これにより点滴灌漑エミッタを流れる水の流動距離が長くなり得る。点滴灌漑エミッタの水の流れは遅く、節水につながる。点滴灌漑エミッタによって水資源は上手く利用される。緩流部材２０は外側部材１０に取外し可能に取付けられ、掃除及び再利用に都合がよい。
【符号の説明】
【００２５】
１０    外側部材
１１    ベース
１１１  保持面
１２    第１ヘッド
１３    第２ヘッド
１４    係合凸部
１５    凸型リング
１６    導孔
１７    入口
１８    出口
１９    円錐面
２０    緩流部材
２１    本体
２２    ねじ部
２３    通路
２４    切欠き
２５    突き刺し部
３０    給水チューブ
４０    植物
５０    パイプ
【図１】
0003202734.tif 000003
【図２】
0003202734.tif 000004
【図３】
0003202734.tif 000005
【図４】
0003202734.tif 000006
【図５】
0003202734.tif 000007
【図６】
0003202734.tif 000008
【図７】
0003202734.tif 000009
【図８】
0003202734.tif 000010
【図９】
0003202734.tif 000011